(57)【特許請求の範囲】
【請求項１】
複数の通信端末と、当該複数の通信端末をＩＳＤＮに接続する複数のターミナルアダプタと、前記複数の通信端末と前記複数のターミナルアダプタとを任意の組み合わせで接続制御する接続装置とを有するデジタル回線接続装置であって、
前記接続装置は、
前記複数の通信端末と接続する複数の通信端末側インターフェースと、
前記複数のターミナルアダプタと接続する複数のアダプタ側インターフェースと、
前記の通信端末側インターフェースと前記複数のアダプタ側インターフェースとを任意の組み合わせで接続する接続スイッチ手段と、
当該接続装置に対して集中制御を行う制御端末と、
当該制御端末からの指示に基づいて前記接続スイッチ手段を作動させ、前記通信端末側インターフェース及びアダプタ側インターフェースを介して前記通信端末及びターミナルアダプタを任意に接続する制御手段と、
当該制御手段からの指示に基づいて前記ターミナルアダプタに対する呼制御を行う前記ターミナルアダプタに対応した呼制御手段と、
前記通信端末または前記呼制御手段のいずれかを前記アダプタ側インターフェースに切替接続する当該アダプタ側インターフェースに対応する切替スイッチ手段と、を備えたことを特徴とするデジタル回線接続装置。
【請求項２】
前記接続装置は、前記ＩＳＤＮから網同期クロックを抽出する網同期クロック抽出手段と、当該網同期クロック抽出手段にて抽出された網同期クロックを前記通信端末側インターフェースを介して通信端末に供給する手段とを有することを特徴とする請求項１記載のデジタル回線接続装置。
【発明の詳細な説明】
【０００１】
【発明の属する技術分野】
本発明は、総合サービスデジタル通信網（以下、単にＩＳＤＮと称する）に係わる接続制御手順を持たない通信端末をターミナルアダプタと接続し、ＩＳＤＮとの通信を行うデジタル回線接続装置に関する。
【０００２】
【従来の技術】
従来、ＩＳＤＮを介して一方の通信端末を他方の通信端末に接続し、これらの通信端末間でデータ伝送を行うためには、それら通信端末とＩＳＤＮとの間にターミナルアダプタを設ける必要がある。
【０００３】
このようなターミナルアダプタは、ＩＳＤＮのレイヤ１〜３を確立して接続相手先のターミナルアダプタとの呼設定を行う機能と、通信端末のインターフェースとＩＳＤＮのインタフェースを整合する機能を有している。これによって、該ターミナルアダプタに接続された通信端末は、ＩＳＤＮを介して他方の通信端末とデータ通信を行うことができる。
【０００４】
ところで、一方のターミナルアダプタがＩＳＤＮを介して他方のターミナルアダプタと通信路を設定するためには、ターミナルアダプタを手動で操作し、ＩＳＤＮに対して発呼要求をして、ＩＳＤＮに他方のターミナルアダプタとの通話路を確立させる第１の方法と、通信端末に、ターミナルアダプタに対し制御コマンドを送信する等のターミナルアダプタ制御手順を備え、通信端末を操作することにより、ターミナルアダプタに発呼要求を行い、これを受信したターミナルアダプタがＩＳＤＮに対して発呼要求をして、ＩＳＤＮに他方のターミナルアダプタとの通話路を確立させる第２の方法とがある。
【０００５】
【発明が解決しようとする課題】
しかしながら、上記従来技術によれば、ターミナルアダプタ制御手順を備えていない通信端末、例えば、画像伝送装置、高品質音声データ伝送装置等をターミナルアダプタに接続し、データ通信を行う際には手動でターミナルアダプタを操作する必要があり、その操作が煩わしく、また、画像伝送装置、高品質音声データ伝送装置等の特殊な通信端末にターミナルアダプタ制御手順を備えると、その構成が複雑になるといった第１の問題点があった。
【０００６】
また、通信端末とターミナルアダプタとの接続関係は固定とされているので、任意の通信端末を任意のターミナルアダプタに接続する場合にはその都度、切換接続作業を行わなければならず、当該システムの変更に時間を要するといった第２の問題点があった。
【０００７】
また、通信端末とターミナルアダプタとの接続は１対１の固定接続となっているので、当該通信端末から複数のターミナルアダプタに対して分配通信を行うことはできないといった第３の問題点があった。
【０００８】
本発明は、これら上記問題点に鑑みてなされたものであり、その目的とするところは、ターミナルアダプタ制御手順を持たない通信端末をターミナルアダプタに接続し、該ターミナルアダプタを用いて通信する場合、発信又は着信における操作性を良好にすると共に、通信端末及びターミナルアダプタ間の切換接続作業を必要とせず、しかも複数のターミナルアダプタに対して分配通信を行うことができるデジタル回線接続装置を提供することにある。
【０００９】
【課題を解決するための手段】
上記目的を達成するために本発明のデジタル回線接続装置は、複数の通信端末と、当該複数の通信端末をＩＳＤＮに接続する複数のターミナルアダプタと、前記複数の通信端末と前記複数のターミナルアダプタとを任意の組み合わせで接続制御する接続装置とを有するデジタル回線接続装置であって、前記接続装置は、前記複数の通信端末と接続する複数の通信端末側インターフェースと、前記複数のターミナルアダプタと接続する複数のアダプタ側インターフェースと、前記の通信端末側インターフェースと前記複数のアダプタ側インターフェースとを任意の組み合わせで接続する接続スイッチ手段と、当該接続装置に対して集中制御を行う制御端末と、当該制御端末からの指示に基づいて前記接続スイッチ手段を作動させ、前記通信端末側インターフェース及びアダプタ側インターフェースを介して前記通信端末及びターミナルアダプタを任意に接続する制御手段と、当該制御手段からの指示に基づいて前記ターミナルアダプタに対する呼制御を行う前記ターミナルアダプタに対応した呼制御手段と、前記通信端末または前記呼制御手段のいずれかを前記アダプタ側インターフェースに切替接続する当該アダプタ側インターフェースに対応する切替スイッチ手段と、を備えたことを特徴とする。
【００１０】
従って、当該デジタル回線接続装置によれば、例えばターミナルアダプタの発信又は着信制御を制御端末からの入力操作にて設定し、当該設定に基づいて前記通信端末側インターフェース及び前記アダプタ側インターフェースを介して前記通信端末及びターミナルアダプタを任意に接続するようにしたので、ターミナルアダプタ制御手順を持たない通信端末をターミナルアダプタに接続し、該ターミナルアダプタを用いて通信する場合、発信又は着信を前記制御端末にて行うことにより、その操作性を良好にすることができると共に、通信端末及びターミナルアダプタ間の切換接続作業を必要とせず、つまりシステムの変更時間が不要となり、しかも通信端末から複数のターミナルアダプタに対して分配通信をも行うことができる。
【００１１】
また、上記目的を達成するために本発明のデジタル回線接続装置は、上記第１のデジタル回線接続装置の構成に加え、前記接続装置が、前記ＩＳＤＮから網同期クロックを抽出する網同期クロック抽出手段と、当該網同期クロック抽出手段にて抽出された網同期クロックを前記通信端末側インターフェースを介して通信端末に供給する手段とを有することを特徴とする。
【００１２】
従って、当該デジタル回線接続装置によれば、当該網同期クロック抽出手段にてＩＳＤＮの網同期クロックを抽出し、当該抽出された網同期クロックを前記通信端末側インターフェースを介して通信端末に供給するようにしたので、当該ＩＳＤＮとの同期が取れていない通信端末を使用したとしても、通常のようにターミナルアダプタからクロックを得るのではなく、当該網同期クロックを通信端末に享受することにより、当該通信端末は当該ＩＳＤＮとのデータ通信を行うことができる。
【００１３】
【発明の実施の形態】
以下、図面に基づいて本発明のデジタル回線接続装置における実施の形態について説明する。図１は本発明のデジタル回線接続装置とＩＳＤＮとの接続状態を概略的に示すシステム構成図である。
【００１４】
図１に示すシステムとしては、ＩＳＤＮ１００と、相手側通信端末群１１０と、ＩＳＤＮ１００を介して相手側通信端末群１１０と接続するデジタル回線接続装置１０とを有している。
【００１５】
相手側通信端末群１１０には、複数の相手側通信端末１１１と、相手側通信端末１１１とＩＳＤＮ１００とを接続し、ＩＳＤＮ１００に係わる接続制御手順を有する相手側ターミナルアダプタ１１２とを有している。
【００１６】
また、デジタル回線接続装置１０は、ターミナルアダプタに係わる制御手順、つまりターミナルアダプタ制御手順を持たない、例えば音声コーデック、監視用モニター等の複数の通信端末（ＤＴＥ）１１と、通信端末１１とＩＳＤＮ１００と接続し、ＩＳＤＮ１００に係わる接続制御手順を有するターミナルアダプタ  （ＴＡ）１２と、通信端末１１とターミナルアダプタ１２とを自在に接続制御する接続装置１３と、接続装置１３を集中管理すると共に、該接続装置１３を制御指示する制御端末１４とを有している。尚、デジタル回線接続装置１０は、前記ＩＳＤＮ１００からの網同期クロックを接続線１５を介して接続装置１３内に供給するものである。
【００１７】
では、次にデジタル回線接続装置１０の要部である接続装置１３の内部構成について説明する。図２はデジタル回線接続装置１０の要部である接続装置１３内部の概略構成を示すブロック図である。図３はデジタル回線接続装置１０の制御端末１４における制御指令に係わるメニューを示す説明図である。
【００１８】
図２において接続装置１３は、該接続装置１３全体を制御系バス３２を介して制御する中央制御装置（以下、単にＣＰＵと称する）２１と、該ＣＰＵ２１に係わる制御プログラム等を記憶する固定記憶装置（以下、単にＲＯＭと称する）２２と、該制御プログラムを実行するためのワークエリア及び設定内容を記憶する一時記憶装置（以下、単にＲＡＭと称する）２３と、時間予約発着呼制御を行うための時計を刻むタイマー装置（ＴＩＭＥＲ）２４と、前述した接続装置１３の集中管理を行う制御端末１４と接続するためのＰＣインターフェース（ＰＣｉ／ｆ）２５と、前記ターミナルアダプタ１２に対し発信又は着信制御を行う呼制御部２６と、接続線１５を介してＩＳＤＮ１００の網同期クロックを抽出する網同期クロック抽出部２７と、通信端末１１と接続する通信端末側インターフェース（ＤＴＥｉ／ｆ）２８と、ターミナルアダプタ１２と接続するアダプタ側インターフェース（ＴＡｉ／ｆ）２９と、通信端末側インターフェース２８とアダプタ側インターフェース２９又は呼制御部２６とを接続する接続スイッチ部３０と、アダプタ側インターフェース２９へ接続する信号線を呼制御部２６側へ切り換えるスイッチ部３１と、スイッチ部３１を駆動するスイッチドライバ３３とを有している。
【００１９】
尚、スイッチ部３１は、呼接続動作時及び空き状態の時、呼制御部２６側に設定されており、ＩＳＤＮ１００との呼接続動作が完了して、データ通信が開始されるとき、接続スイッチ部３０側に切替設定されるものである。
【００２０】
通常のデータ通信を行う場合には予め通信端末に接続されたターミナルアダプタからのクロックを通信端末に供給することにより、ＩＳＤＮ１００と通信端末がデータ通信を行うようにしていたが、本発明のような任意の１乃至複数のターミナルアダプタ１２と通信端末１１とが分配接続を行うような場合には、どのターミナルアダプタ１２からクロックを供給させるかの判断が必要であり、また、仮にこの判断後にターミナルアダプタ１２からクロックを供給すると、クロックを供給したターミナルアダプタ１２が通信を終了したとき、別のターミナルアダプタ１２からクロックを供給する必要があり、このとき、クロックの切り換えが行われる。すると、このクロックの切り換えをした時、クロック波形が乱れてしまい、良好なデータ通信を得ることができない。
【００２１】
そこで、デジタル回線接続装置１０においては、網同期クロック抽出部２７にて接続線１５を介してＩＳＤＮ１００から網同期クロックを抽出し、呼制御部２６、スイッチ部３１、接続スイッチ部３０及び通信端末側インターフェース２８を介して、分配接続時に必要な網同期クロックを通信端末１１に供給するものである。
【００２２】
デジタル回線接続装置１０において、任意の通信端末１１と任意のターミナルアダプタ１２との接続は、制御端末１４からの接続制御指示に基づいて行われるものであり、通信端末側インターフェース２８、接続スイッチ３０、スイッチ部３１及びアダプタ側インターフェース２９を介して通信端末１１及びターミナルアダプタ１２間のデータ通信を行うものである。
【００２３】
制御端末１４からの制御指令としては、図３に示すように、ターミナルアダプタ１２に着信があった場合に着信を許可する項番１としての応答コマンド（ＡＮＳＷＥＲ）と、指定したターミナルアダプタ１２からダイヤル発信する項番２としてのダイヤルコマンド（ＤＩＡＬ）と、指定したターミナルアダプタ１２の通信を切断する項番３としての切断コマンド（ＤＩＳＣ）と、指定したターミナルアダプタ１２の使用状態を読み出す項番４としての読出コマンド（ＲＥＡＤ  ＬＩＮＥ  ＣＯＮＤ）と、指定したターミナルアダプタ１２の着信モードを指定する項番５としてのモード指定コマンド（ＳＥＴ  ＣＡＬＬ  ＭＯＤＥ）と、指定したターミナルアダプタ１２にどの通信端末１１に接続するかを指定する項番６としての接続指示コマンド（ＳＥＴ  ＰＥＥＲ  ＡＤＤＲ）と、指定したターミナルアダプタが指定した予約時間になると自動で発信を行うと共に、指定した切断時間になると自動で通信を切断する予約通信を設定する項番７としての予約コマンド（ＳＥＴ  ＲＥＳＥＲＶＥ）と、内部時計の年月日及び時間を設定する項番８としての時計コマンド（ＳＥＴ  ＴＩＭＥＲ）と、デジタル回線接続装置１０の接続・切断等の運用記録を読み出す項番９としてのロギングコマンド（ＲＥＡＤ  ＲＥＰＯＲＴ）等とを有している。
【００２４】
尚、前記項番６の接続指示コマンド（ＳＥＴ  ＰＥＥＲ  ＡＤＤＲ）は、通信端末１１と任意のターミナルアダプタ１２といったような１対１接続、又は通信端末１１と任意の複数個のターミナルアダプタ１２といったような１対複数といった分配接続を指定するコマンドである。
【００２５】
では、次にデジタル回線接続装置１０の動作について説明する。
【００２６】
まずは、デジタル回線接続装置１０における通信端末１１と通信端末１１に相対するターミナルアダプタ１２とを接続する際の動作について説明する。図４はデジタル回線接続装置１０における通信端末１１と通信端末１１に相対するターミナルアダプタ１２同士を接続する場合の動作状態を示す動作説明図である。
【００２７】
図４において通信端末１１をＣ１，Ｃ２，Ｃ３，Ｃ４…Ｃｎ、ターミナルアダプタ１２をＬ１，Ｌ２，Ｌ３，Ｌ４…Ｌｎとし、例えば通信端末Ｃ１はターミナルアダプタＬ１、通信端末Ｃ２はターミナルアダプタＬ２といったように各通信端末１１はそれぞれ対応するターミナルアダプタ１２を介してＩＳＤＮ１００の通信端末１１１を接続し、上りデータ及び下りデータの通信を行うことが可能である。
【００２８】
次にデジタル回線接続装置１０における任意の通信端末１１と任意のターミナルアダプタ１２とを１対１にて接続する際の動作について説明する。図５はデジタル回線接続装置１０における任意の通信端末１１と任意のターミナルアダプタ１２とを１対１で接続する場合の動作状態を示す説明図である。
【００２９】
図５に示すように制御端末１４からの制御指示（接続指示コマンド）に基づいて、例えば通信端末Ｃ１をターミナルアダプタＬ３、通信端末Ｃ２をターミナルアダプタＬ１、通信端末Ｃ３をターミナルアダプタＬ４、通信端末Ｃ４をターミナルアダプタＬ２、通信端末ＣｎをターミナルアダプタＬｎといったように、任意の通信端末１１及び任意のターミナルアダプタ１２同士を１対１にて接続し、ＩＳＤＮ１００に対する上りデータ及び下りデータの通信を行うことが可能である。
【００３０】
また、デジタル回線接続装置１０においては任意の通信端末１１と任意の複数のターミナルアダプタ１２とを１対複数にて分配接続することも可能であり、図６はデジタル回線接続装置１０における任意の通信端末１１と任意の複数個のターミナルアダプタ１２とを接続する場合の動作状態を示す説明図である。
【００３１】
図６に示すように制御端末１４からの制御指示（接続指示コマンド）に基づいて、例えば通信端末Ｃ１を任意のターミナルアダプタＬ１，Ｌ２，Ｌ３に、通信端末Ｃ４を任意のターミナルアダプタＬ４，Ｌｎといったように任意の通信端末１１と複数のターミナルアダプタ１２を１対複数にて接続し、ＩＳＤＮ１００に対する上りデータ及び／又は下りデータの通信を行うことが可能である。
【００３２】
尚、この際、通信端末１１からの下りデータは、任意のターミナルアダプタＬ１，Ｌ２，Ｌ３に供給し、ＩＳＤＮ１００からの上りデータをターミナルアダプタＬ１のみから供給するようにしている。
【００３３】
従って、デジタル回線接続装置１０によれば、制御端末１４からの制御指令に基づいて、通信端末側インターフェース２８及びアダプタ側インターフェース２９を介して通信端末１１及び１乃至複数のターミナルアダプタ１２を任意に接続するようにしたので、ＩＳＤＮ１００に係わる接続制御手順を持たない通信端末１１をターミナルアダプタ１２を用いて通信する場合、ターミナルアダプタ１２の発信又は着信を制御端末１４にて行うことにより、その操作性を良好にすることができると共に、通信端末１１及びターミナルアダプタ１２間の切換接続作業を必要とせず、つまりシステムの変更時間が不要となり、しかも通信端末から複数のターミナルアダプタに対して分配通信をも行うことができる。
【００３４】
また、デジタル回線接続装置１０によれば、通信端末１１は前記ターミナルアダプタ１２からクロックを得るのでなく、ＩＳＤＮ１００の網同期クロックを接続線１５を介して網同期クロック抽出部２７にて抽出し、抽出された網同期クロックを通信端末側インターフェース２８を介して通信端末１１に供給するようにしたので、ＩＳＤＮ１００との同期が取れていない通信端末１１を使用したとしても、通信端末１１はＩＳＤＮ１００とのデータ通信を行うことができる。
【００３５】
【発明の効果】
上記のように構成された本発明のデジタル回線接続装置によれば、例えばターミナルアダプタの発信又は着信制御を制御端末からの入力操作にて設定し、当該設定に基づいて前記通信端末側インターフェース及び前記アダプタ側インターフェースを介して前記通信端末及びターミナルアダプタを任意に接続するようにしたので、ターミナルアダプタ制御手順を持たない通信端末をターミナルアダプタに接続し、このターミナルアダプタを用いて通信する場合、発信又は着信を制御端末にて行うことにより、その操作性を良好にすることができると共に、通信端末及びターミナルアダプタ間の切換接続作業を必要とせず、つまりシステムの変更時間が不要となり、しかも通信端末から複数のターミナルアダプタに対して分配通信をも行うことができる。
【００３６】
また、デジタル回線接続装置によれば、網同期クロック抽出手段にてＩＳＤＮの網同期クロックを抽出し、当該抽出された網同期クロックを前記通信端末側インターフェースを介して通信端末に供給するようにしたので、ＩＳＤＮとの同期が取れていない通信端末を使用したとしても、通常のようにターミナルアダプタからクロックを得るのではなく、網同期クロックを通信端末に享受することにより、通信端末はＩＳＤＮとのデータ通信を行うことができる。
【図面の簡単な説明】
【図１】本発明のデジタル回線接続装置とＩＳＤＮとの接続状態を概略的に示すシステム構成図である。
【図２】デジタル回線接続装置の要部である接続装置内部の概略構成を示すブロック図である。
【図３】デジタル回線接続装置における制御端末の制御指令のメニューを示す説明図である。
【図４】デジタル回線接続装置における通信端末と当該通信端末に相対するターミナルアダプタ同士を接続する場合の動作状態を示す説明図である。
【図５】デジタル回線接続装置における任意の通信端末と任意のターミナルアダプタとを１対１で接続する場合の動作状態を示す説明図である。
【図６】デジタル回線接続装置における任意の通信端末と任意の複数個のターミナルアダプタとを接続する場合の動作状態を示す説明図である。
【符号の説明】
１０  デジタル回線接続装置
１１  通信端末（ＤＴＥ）
１２  ターミナルアダプタ（ＴＡ）
１３  接続装置
１４  制御端末
２１  ＣＰＵ（中央制御装置；制御手段）
２７  網同期クロック抽出部（網同期クロック抽出手段）
２８  通信端末側インターフェース（ＤＴＥｉ／ｆ）
２９  アダプタ側インターフェース（ＴＡｉ／ｆ）
１００  ＩＳＤＮ
【図１】
0003583213.tif 000002
【図２】
0003583213.tif 000003
【図３】
0003583213.tif 000004
【図４】
0003583213.tif 000005
【図５】
0003583213.tif 000006
【図６】
0003583213.tif 000007